(57)【特許請求の範囲】
【請求項１】
無線機Ａと無線機Ｂとで構成され、前記無線機Ａは前記無線機Ｂからの応答信号を受信するまで所定の周期Ｔ５で繰返し識別信号を送信する無線装置であって、
前記無線機Ａから前記周期Ｔ５で送信される識別信号は所定の長さのプリアンブル信号を有し、
前記無線機Ｂは、前記所定の長さのプリアンブル信号より短い時間間隔Ｔ７で、前記Ｔ５より長い時間の期間だけ間欠的に受信動作を行った後、所定の時間Ｔ６の間受信動作を休止する動作を繰り返す無線装置。
【請求項２】
前記無線機Ｂは、前記時間間隔Ｔ７ごとに前記識別符号の受信信号レベルが所定のレベル以上かどうかを検出し、所定レベル以上であれば受信を継続し、所定レベル以下であれば受信を中断して前記時間Ｔ７で決まる次の受信タイミングまで受信動作を休止する請求項１記載の無線装置。
【請求項３】
前記無線機Ｂは、前記時間間隔Ｔ７ごとに所定時間の間プリアンブル信号を検出する動作を行い、前記所定時間内に前記プリアンブル信号を検出した場合は受信を継続し、前記所定時間内に前記プリアンブル信号を検出できない場合所は受信を中断して時間Ｔ７で決まる次の受信タイミングまで受信動作を休止する請求項１記載の無線装置。
【請求項４】
前記無線機Ｂは、前記識別信号を受信すると、所定の長さのプリアンブル信号を付加して応答信号を送信し、前記無線機Ａは、前記識別信号を送信後、所定時間待って前記無線機Ｂからの応答信号に含まれる前記プリアンブル信号の途中から受信を開始する請求項１記載の無線装置。
【請求項５】
前記無線機Ａは、前記無線機Ｂからの応答信号の受信信号レベルが所定のレベル以上かどうかを検出し、所定レベル以上であれば受信を継続し、所定レベル以下であれば受信を中断して周期Ｔ５の繰り返し送信に戻る請求項４記載の無線装置。
【請求項６】
前記無線機Ａは、所定時間の間前記無線機Ｂからの応答信号のプリアンブル信号を検出する動作を行い、前記所定時間内に前記プリアンブル信号を検出した場合は受信を継続し、前記所定時間内に前記プリアンブル信号を検出できない場合所は受信を中断して周期Ｔ５の繰り返し送信に戻る請求項４記載の無線装置。
【請求項７】
前記無線機Ａは前記無線機Ｂからの前記応答信号を受信した後、
前記無線機Ａ及び前記無線機Ｂは共に認証モードに移行し、定期的に相互認証のための認証信号の送受信を行い、
前記認証信号の送受信において、受信レベルが所定のレベル以下の場合には警報或いは前記無線機Ａ或いは前記無線機Ｂに接続される機器の機能を制限するロック信号を出力する請求項１或いは請求項２或いは請求項３記載の無線装置。
【請求項８】
請求項１〜７のいずれか１項記載の無線装置の少なくとも一部をコンピュータに実現させるためのプログラム。
【発明の詳細な説明】
【技術分野】
【０００１】
本発明は、ワイヤレスキーと本体側装置とで定期的或いは不定期的に無線の送受信を行うことによりお互いの存在を確認しあい、ワイヤレスキーと本体側装置が所定の通信範囲を超えた場合に本体側装置の機能を制限したり或いは警報を発生させる認証装置に用いることのできる無線装置に関するものである。
【背景技術】
【０００２】
近年、セキュリティを考慮しながら携帯電話、あるいはパソコンをはじめとする電子機器の操作ロックを、ワイヤレスで制御するようにしたセキュリティシステムが実用化されてきている。
【０００３】
かかるセキュリティシステムの一形態として、携帯電話の盗難を防止するために、携帯電話の使用者が、カード形態の識別信号送信機を所持し、前記の携帯電話と識別信号送信機との間で予め定めた識別コードを相互に通信し、双方で識別コードを確認できた時に前記携帯電話の使用を可能とするものがある（例えば特許文献１参照）。
【０００４】
このワイヤレスによる双方向通信システムの特許文献１では、電子機器等の本体側に搭載された機器（以後、認証機器と称する）において、携帯側装置（以降、ワイヤレスキーと称する）から定期的に発せられる認証ＩＤを受信し、前記認証機器に記憶しているＩＤと照合し、一致していなければ本体装置に機能制限をかけることが記されている。
【０００５】
そして、送信信号として１秒ごとにＭ系列信号を送信することが記されている。前記Ｍ系列信号を受信する方法として特に記載はないが、プリアンブル無しのＭ系列信号を受信するためには、１秒以上受信動作を継続する必要がある。
【特許文献１】特開２００４−１４３８０６号公報
【発明の開示】
【発明が解決しようとする課題】
【０００６】
しかしながら、前記従来の構成では、１秒ごとに送信されるＭ系列信号を受信するためには１秒以上連続して受信動作を行う必要があり、消費電流が増大し、電池寿命に与える影響が大であるという課題があった。
【０００７】
本発明は、前記従来の課題を解決するもので、例えば、携帯電話などの電子機器の置き忘れや盗難防止機能（セキュリティ機能）を損なうことなく、ワイヤレスキーや携帯電話などの電池寿命を延ばすことのできる無線装置及びそのプログラムを提供することを目的とする。
【課題を解決するための手段】
【０００８】
無線機Ａと無線機Ｂとで構成され、前記無線機Ａは前記無線機Ｂからの応答信号を受信するまで所定の周期Ｔ５で繰返し識別信号を送信する無線装置であって、前記無線機Ａから前記周期Ｔ５で送信される識別信号は所定の長さのプリアンブル信号を有し、前記無線機Ｂは、前記所定の長さのプリアンブル信号より短い時間間隔Ｔ７で、前記Ｔ５より長い時間の期間だけ間欠的に受信動作を行った後、所定の時間Ｔ６の間受信動作を休止する動作を繰り返す無線装置である。
【０００９】
そして、無線機Ａの識別信号送信間隔Ｔ５より若干長い期間の間、間欠受信を行うことができる構成としたものである。
【００１０】
これによって、無線機Ｂの消費電流を削減できることとなる。或いは無線機Ｂの消費電流を削減する代わりに、無線機Ａの識別信号送信間隔Ｔ５を長くすることにより、無線機Ａの消費電流を削減できることとなる。
【発明の効果】
【００１１】
本発明の無線装置及びプログラムを用いることにより、無線機Ａと無線機Ｂとの消費電力を減らし、たとえば、ワイヤレスキーの電池寿命と置き忘れ、盗難防止の利便性の両立を図ることができる。
【発明を実施するための最良の形態】
【００１２】
第１の発明は、無線機Ａと無線機Ｂとで構成され、前記無線機Ａは前記無線機Ｂからの応答信号を受信するまで所定の周期Ｔ５で繰返し識別信号を送信する無線装置であって、前記無線機Ａから前記周期Ｔ５で送信される識別信号は所定の長さのプリアンブル信号を有し、前記無線機Ｂは、前記所定の長さのプリアンブル信号より短い時間間隔Ｔ７で、前記Ｔ５より長い時間の期間だけ間欠的に受信動作を行った後、所定の時間Ｔ６の間受信動作を休止する動作を繰り返す無線装置である。
【００１３】
そして、無線機Ａの識別信号送信間隔Ｔ５より若干長い期間の間、間欠受信を行うことができるようにしたことにより、無線機Ａ或いは無線機Ｂの消費電流を削減できることとなる。
【００１４】
第２の発明は、前記無線機Ｂは、前記時間間隔Ｔ７ごとに前記識別符号の受信信号レベルが所定のレベル以上かどうかを検出し、所定レベル以上であれば受信を継続し、所定レベル以下であれば受信を中断して前記時間Ｔ７で決まる次の受信タイミングまで受信動作を休止する無線装置である。
【００１５】
そして、間欠受信で起きている時間を短縮でき、無線機Ａ或いは無線機Ｂの消費電流をよりいっそう削減できることとなる。
【００１６】
第３の発明は、前記無線機Ｂは、前記時間間隔Ｔ７ごとに所定時間の間プリアンブル信号を検出する動作を行い、前記所定時間内に前記プリアンブル信号を検出した場合は受信を継続し、前記所定時間内に前記プリアンブル信号を検出できない場合所は受信を中断して前記時間Ｔ７で決まる次の受信タイミングまで受信動作を休止する無線装置である。
【００１７】
そして、間欠受信で起きている時間を短縮でき、無線機Ａ或いは無線機Ｂの消費電流をよりいっそう削減できることとなる。
【００１８】
第４の発明は、前記無線機Ｂは、前記識別信号を受信すると、所定の長さのプリアンブル信号を付加して応答信号を送信し、前記無線機Ａは、前記識別信号を送信後、所定時間待って前記無線機Ｂからの応答信号に含まれる前記プリアンブル信号の途中から受信を開始する無線装置である。
【００１９】
そして、受信タイミングの時間誤差を前記プリアンブルの長さで吸収できるため、応答信号があるかどうかの判断を短時間に行うことができ、無線機Ａの消費電流をよりいっそう削減できることとなる。
【００２０】
第５の発明は、前記無線機Ａは、前記無線機Ｂからの応答信号の受信信号レベルが所定のレベル以上かどうかを検出し、所定レベル以上であれば受信を継続し、所定レベル以下であれば受信を中断して周期Ｔ５の繰り返し送信に戻る無線装置である。
【００２１】
そして、応答信号があるかどうかの判断をより短時間に行うことができ、無線機Ａの消費電流をよりいっそう削減できることとなる。
【００２２】
第６の発明は、前記無線機Ａは、所定時間の間前記無線機Ｂからの応答信号のプリアンブル信号を検出する動作を行い、前記所定時間内に前記プリアンブル信号を検出した場合は受信を継続し、前記所定時間内に前記プリアンブル信号を検出できない場合所は受信を中断して周期Ｔ５の繰り返し送信に戻る無線装置である。
【００２３】
そして、応答信号があるかどうかの判断をより短時間に行うことができ、無線機Ａの消費電流をよりいっそう削減できることとなる。
【００２４】
第７の発明は、前記無線機Ａは前記無線機Ｂからの前記応答信号を受信した後、前記無線機Ａ及び前記無線機Ｂは共に認証モードに移行し、定期的に相互認証のための認証信号の送受信を行い、前記認証信号の送受信において、受信レベルが所定のレベル以下の場合には警報或いは前記無線機Ａ或いは前記無線機Ｂに接続される機器の機能を制限するロック信号を出力する無線装置である。
【００２５】
そして、例えば、ワイヤレスキーの電池寿命と置き忘れ、盗難防止の利便性の両立を図ることができることとなる。
【００２６】
第８の発明は、第１〜７の発明の無線装置の少なくとも一部をコンピュータに実現させるためのプログラムとする。そして、プログラムであるので、電気・情報機器、コンピュータ、等のハードリソースを協働させて本発明の少なくとも一部を簡単なハードウェアで実現できる。また記録媒体に記録したり通信回線を用いてプログラムを配信したりすることでプログラムの配布・更新やそのインストール作業が簡単にできる。
【００２７】
以下、本発明の実施の形態について、図面を参照しながら説明する。なお、この実施の形態によって本発明が限定されるものではない。
【００２８】
（実施の形態１）
図１は本発明の第１の実施の形態における無線装置のブロック図を示すものである。
【００２９】
無線装置は、１は第一のアンテナ、２は無線機Ａ、３は第一の送受信手段、４は第一の時間制御手段、５は第一の認証手段、６は第二のアンテナ、７は無線機Ｂ、８は第二の送受信手段、９は第二の時間制御手段、１０は第二の認証手段から構成される。また１１は無線装置に接続された携帯電話である。
【００３０】
無線機Ａは、たとえば、ワイヤレスキーであり、携帯電話１１の使用者が携行している。そして無線機Ｂは無線機Ａからの電波の受信レベルが弱くなると携帯電話１１に使用制限をかける。図１において、携帯電話１１と無線機Ｂは別体で示しているが、無線機Ｂは携帯電話１１の中に内蔵されることが多い。
【００３１】
図２、図３は無線機Ａ（２）と無線機Ｂ（７）との間の通信シーケンスを示したものである。図２はサーチモードの通信シーケンス、図３は認証モードの通信シーケンスである。
【００３２】
サーチモードとは、無線機Ａと無線機Ｂがお互いの存在を確認しあい、認証モードに移行するためのモードである。
【００３３】
認証モードは無線機Ａと無線機Ｂとの間で時間的な同期をとって定期的に通信を行い、相手の存在を確認しあうモードである。認証モードで相手の存在を確認し、無線機Ｂは所定の受信レベル以上で無線機Ａからの電波の受信している間は携帯電話１１の使用制限をかけていない。
【００３４】
図２を参照しながらサーチモードの通信シーケンスを説明する。
【００３５】
無線機Ａは定期的にサーチ信号１２を送信する。サーチ信号１２を送信する時間間隔は例えば２秒毎である。サーチ信号１２には無線機Ａを示す８ビットの識別符号が含まれている。
【００３６】
無線機Ｂはサーチ信号１２を受信するとサーチ応答１３を無線機Ａに対して送信する。無線機Ａはサーチ応答１３を受信すると無線機Ａの識別符号である６４ビットのＭｋ信号１４を送信する。無線機Ｂは前記Ｍｋ信号１４と無線機Ｂの内部に保有している通信相手の識別符号とを照合し、一致していれば無線機Ｂの識別符号を示す６４ビットのＭＴ信号１５を送信する。
【００３７】
すると無線機Ａはリクエスト信号１６を送信し、無線機Ｂは第二の認証手段１０に内蔵されている乱数発生器を用いて発生させたチャレンジ信号１７を送信する。
【００３８】
無線機Ａはチャレンジ信号１７を受信し、第一の認証手段５において暗号化処理を行い、レスポンス信号１８として送信する。
【００３９】
無線機Ｂは前記レスポンス信号１８を受信し、暗号を解読してチャレンジ信号１７として送信した符号と同じ符号であれば、無線機Ａとの認証が成立したと判定し、確認信号１９を無線機Ａに送信する。
【００４０】
無線機Ａは確認信号１９を受信すると無線機Ｂとの認証が成立したと判定する。そして図３の認証モードに移行する。
【００４１】
図３の認証モードへの移行に当たって無線機Ａはレスポンス信号１８を送信したタイミングからタイマーＴ１を起動する。無線機Ｂは前記レスポンス信号１８を受信したタイミングで無線機Ａと時間同期を取り、タイマーＴ１を起動する。
【００４２】
次に図３の認証モードの通信シーケンスについて説明する。
【００４３】
無線機ＡはタイマーＴ１が４秒の整数倍のタイミングで簡易ＩＤ信号２０を送信する。無線機Ｂは前記簡易ＩＤ信号２０のタイミングで受信を行い受信レベルを測定する。
【００４４】
受信レベルが所定以下であれば無線機Ａとの距離が所定距離以上離れているとして無線機Ｂを構成する第二の認証手段１０に内蔵するカウンターをインクリメントする。そして前記カウンターが所定のカウント数になったら、携帯電話１１に機能制限信号を出力する。
【００４５】
受信レベルが所定レベル以上であれば、前記カウンターをクリアする。すなわち無線機Ａからの４秒毎の簡易ＩＤの受信レベルが連続して所定レベル以下でかつ所定回数に達したときに使用制限信号を出力する。
【００４６】
タイマーＴ１が３２秒になったら、無線機Ａはリクエスト信号２１を送信する。無線機ＢもタイマーＴ１が３２秒になったら、受信を開始しリクエスト信号２１を受信する。そ
して無線機Ｂは乱数発生器を用いてチャレンジ信号２２を作成し送信する。
【００４７】
無線機Ａは前記リクエスト信号２１を送信するタイミングで再度タイマーＴ１を起動する。そして前記チャレンジ信号２２を受信したら、認証成立と判定し休止状態になる。
【００４８】
無線機Ａは前記チャレンジ信号を受信できない場合は、前記リクエスト信号２１を送信するタイミングからＴ２後にリクエスト信号２３を再送し、リクエスト信号２３を送信するタイミングで再度タイマーＴ１を起動する。そしてチャレンジ信号２４の再送を受信できなければさらに前記リクエスト信号２３を送信するタイミングからＴ３後にリクエスト信号２５を再送し、リクエスト信号２５を送信するタイミングで再度タイマーＴ１を起動する。チャレンジ信号２６の再送を受信する。
【００４９】
そしてチャレンジ信号２６を受信できないときは前記リクエスト信号２４を送信するタイミングからＴ４後にサーチ信号２７を送信しサーチモードに移行する。
【００５０】
一方、無線機Ｂは、前記リクエスト信号２１を受信したタイミングで無線機Ａの時計と無線機Ｂの時計誤差を計測する。そして再度タイマーＴ１を起動する。
【００５１】
ここで、無線機ＡのタイマーＴ１と無線機ＢのタイマーＴ１の時間誤差について考える。時計の絶対精度が±１００ｐｐｍとすると無線機Ａと無線機Ｂの時計の相対誤差は±２００ｐｐｍである。したがって３２秒では±６．４m秒（ΔＴとする）の相対誤差が生じる。
【００５２】
そこでサーチモードから認証モードに移行した最初のリクエスト信号２５の受信に当たっては、上記相対誤差±６．４m秒を考慮して無線機ＢのタイマーＴ１が３２秒を示す６．４m秒前に受信を開始する必要がある。そしてリクエスト信号２５を受信することにより、無線機Ａとの相対誤差ΔＴを計測することができる。
【００５３】
相対誤差ΔＴを計測したら次の３２秒の受信タイミングはタイマーＴ１の示す３２秒からΔＴ補正した時間である。
【００５４】
図３の例では３２秒からΔＴ引いた値が次の３２秒の受信タイミングである。簡易ＩＤ２０は４秒ごとに送信されるため、簡易ＩＤ２０の受信タイミングの補正はタイマーＴ１の値からΔＴ×ｎ／８を引く。ｎは簡易ＩＤ２０のｎ番目の受信タイミングである。そして次の３２秒の受信タイミングでも無線機ＡのタイマーＴ１との時間誤差ΔＴを計測し、一つ前のΔＴに加算する。加算した結果のΔＴを用いて前述した補正を行う。以下この補正処理を繰り返していく。
【００５５】
上記補正処理を行うことにより以降の簡易ＩＤ２０の受信タイミング及び３２秒ごとのリクエスト信号２１あるいは後述するレスポンス信号１８の受信タイミングを無線機Ａの送信タイミングと相対誤差なしに一致させることができる。
【００５６】
現実には計測誤差や３２秒間の温度変化による相対誤差を考慮して後述する受信タイミングで受信を行う。無線機Ａの時計と無線機Ｂの時計の相対誤差をなくすことは、簡易ＩＤ２０の受信時間を必要最低限にすることができ消費電流の削減に大きく貢献する。
【００５７】
そして無線機Ａからの再送があるかもしれないため、リクエスト信号２３が送信されるタイミングで受信を開始する。
【００５８】
前記リクエスト信号２３を受信すれば、チャレンジ信号２４を再送し、前記リクエスト
信号２３を受信したタイミングで無線機Ａの時計と無線機Ｂの時計誤差を計測し、再度タイマーＴ１を起動する。そして無線機Ａからの再送があるかもしれないため、リクエスト信号２５が送信されるタイミングで受信を開始する。
【００５９】
前記リクエスト信号２５を受信すれば、チャレンジ信号２６を再送し、前記リクエスト信号２５受信したタイミングで無線機Ａの時計と無線機Ｂの時計誤差を計測し、再度タイマーＴ１を起動する。そして無線機Ａがサーチ信号２７を送信するタイミングで受信を開始し、サーチ信号２７があるかどうか確認する。
【００６０】
もしサーチ信号がなければ、チャレンジ信号２２、２４、２６のどれかが無線機Ａは受信できたとして認証成立と判定し休止状態になる。
【００６１】
もしサーチ信号２７を受信したら、サーチモードに移行する。チャレンジ信号２２，２４，２６のどれかを送信したにもかかわらずサーチ信号２７を受信した場合は、サーチモードに移行してもすぐには機能制限出力を携帯電話１１に出力しない。
【００６２】
サーチモードに移行後、所定時間以内に図２のシーケンスが無線機Ａとの間で成立しなかった場合に機能制限信号を出力する。
【００６３】
サーチモードに移行せずに認証成立の場合は、無線機ＡはタイマーＴ１が４秒の整数倍のタイミングで簡易ＩＤ２０を送信する。
【００６４】
図３のシーケンスを繰り返すことになるが、次の３２秒のタイミングにおいてはリクエスト信号２１とチャレンジ信号２２のやり取りの代わりに図２に示すレスポンス信号１８、確認信号１９のやり取りを行う。そして次の３２秒には再びリクエスト信号２１とチャレンジ信号２２のやり取りを行う。
【００６５】
図４に図２のサーチモードにおける無線機Ａと無線機Ｂの送受信タイミングを示す。図４を参照しながら、前記受信タイミングについて説明する。
【００６６】
（１）は無線機Ａの送信タイミングでＴ５毎にサーチ信号１２を送信する。Ｔ５は一例として２秒である。
【００６７】
（２）は無線機Ｂの受信タイミングであり、Ｔ６ごとにＴ５+α期間受信を継続する。Ｔ６は例えば１０秒、αは１０ｍ秒である。
【００６８】
（３）は（２）の無線機Ｂの受信タイミングを拡大した図である。（３）に示すように無線機ＢのＴ５＋α期間の受信は、間欠受信である。
【００６９】
図５は無線機Ａが送信するサーチ信号１２の電文構成と無線機ＢのＴ５+α期間における受信タイミングを示す図である。図５において（１）はサーチ信号１２の電文構成、（２）は無線機Ｂの受信タイミングである。
【００７０】
サーチ信号１２は、２値ＦＳＫ送信される。そしてその電文構成は、「０１０１」の繰り返しからなる５６ビットのプリアンブルと８ビットのフレーム同期信号及び８ビットのデータから構成されている。８ビットのデータはいわゆる識別符号である。
【００７１】
無線機Ｂは２値ＦＳＫ受信を行い、Ｔ７ごとにT１１だけ受信状態である間欠受信を行っている。
【００７２】
受信期間Ｔ１１の間にサーチ信号１２があるかどうかの受信レベルチェックを行い、前記受信レベルチェックの結果が所定レベル以下であれば受信を中断する。所定レベル以上であれば受信を継続する。
【００７３】
T１１は例えば２００μ秒と非常に短い時間である。そしてＴ７はサーチ信号１２のプリアンブル長によって決まる。
【００７４】
図５の例ではプリアンブルが５６ビットであるため、変調速度を９６００ｂｐｓとするとプリアンブルの継続時間は５．８ｍ秒である。サーチ信号１２の受信同期をとるために最低必要なプリアンブルは例えば３２ビットである。そして２４ビットが間欠受信のために付加した付加ビットである。付加ビットの時間長は２．５m秒であり、間欠周期Ｔ７を２．５ｍ秒とする。
【００７５】
このようにプリアンブルの継続時間より短い間隔で無線機Ｂは間欠受信することにより、必ずサーチ信号１２のプリアンブルの期間に無線機Ｂは受信タイミングを１回以上有することになり、プリアンブルの期間で受信レベルチェックを行い、受信を継続することができ、よってプリアンブルに続くフレーム同期信号及びデータを受信できる。
【００７６】
図５において無線機Ｂの受信時の電流は１２ｍＡ、受信ＯＦＦ時のベース電流は２ｍＡである。ベース電流はマイコンの動作電流である。
【００７７】
上記説明したようにサーチ信号１２のプリアンブルを長くすることにより、無線機Ｂを間欠受信させることができ、サーチ信号１２を受信できない状態が続いた場合に、無線機Ｂの消費電流を大幅に削減できる。そして無線機ＢはＴ６ごとにＴ５+α期間だけ間欠受信を行う。
【００７８】
無線機Ｂの消費電流を削減する代わりに、無線機Ａの消費電流を削減することもできる。図５の例では２．５ｍ秒ごとに２００μ秒だけ受信を行っているため、ベース電流２ｍＡを考慮したとしても無線機Ｂの電流削減は間欠受信を行わずにＴ５+α期間、連続受信をした場合に比べて間欠受信を行うことにより約１／４に削減できる。
【００７９】
すなわち無線機Ｂの消費電流をＴ５+α期間、連続受信をした場合と同じにした場合、サーチ信号１２の送信間隔を４倍に長くすることができる。
【００８０】
一方、サーチ信号１２の電文長は単にプリアンブルに２４ビットの付加ビットが追加されただけであるので、無線機Ｂが連続受信を行う場合のサーチ信号１２の電文長に比べ１．５倍になっただけである。よってサーチ信号１２の送信間隔が４倍になったことにより、消費電流を１／３以下にできる。
【００８１】
図６はサーチ応答１３以下のサーチモードでの電文構成と受信タイミングを示す。
（１）は送信側から送信される電文構成、（２）は受信側での受信タイミングである。
【００８２】
以下サーチ応答１３を受信する場合の例で説明する。
【００８３】
サーチ信号１２を無線機Ｂが受信するとサーチ応答１３を送信する。サーチ応答１３が送信されるタイミングはあらかじめ無線機Ａと無線機Ｂで約束しておく。無線機Ａはサーチ応答１３が送信されるタイミングからＴ８遅れて受信を開始する。Ｔ８はプリアンブルの付加ビットである２４ビットの半分の時間１．２５m秒に設定される。
【００８４】
サーチ応答１３は必ず帰ってくるわけではない。無線機Ｂが近くに存在しない場合は返
ってこない。したがって無線機Ａはサーチ応答１３がない場合にはすぐに受信中断することが、電流削減の点から重要である。
【００８５】
サーチ応答１３のプリアンブルの途中で受信を開始するように構成することにより、無線機Ａは図５に示すのと同様にＴ１１という短い時間で受信レベルチェックを行いサーチ応答１３があるかどうかを判定できる。また受信タイミングや送信タイミングのバラツキ誤差±１．２５m秒以内のバラツキ誤差を吸収できる。変復調方式は２値ＦＳＫである。
【００８６】
サーチ応答１３で説明したが、サーチモードのその他の電文についても同様である。サーチ応答１３以下の電文送受信は、無線機Ａと無線機Ｂでタイミングをあらかじめ決めている。すなわち時間同期の取れた状態で送受信を行う。そのため、プリアンブルの途中から受信を開始するように構成することができる。
【００８７】
図７は図３の認証モードにおける認証通信シーケンスであるリクエスト信号２１とチャレンジ信号２２の電文構成と受信タイミングを示している。
【００８８】
前記認証通信シーケンスは３２秒ごとに行われる。そのため、電文長を長くすると消費電流に大きく影響する。そのため、リクエスト信号２１とチャレンジ信号２２は９６００ｂｐｓで４値ＦＳＫ送信される。すなわち伝送速度は２値ＦＳＫの２倍の１９２００ｂｐｓである。
【００８９】
図７において、（１）は送信側から送信されるリクエスト信号２１或はチャレンジ信号２２の電文構成である。（２）は受信側での受信タイミングである。プリアンブルは４８ビット、フレーム同期信号は８ビット、データは識別符号或は乱数を表し６４ビットである。
【００９０】
プリアンブルは受信同期を取るために必要は最低限のビット数に設定している。そのため、プリアンブルの途中から受信を開始するように設定していると受信できないので、リクエスト信号２１或はチャレンジ信号２２が送信されるＴ９前に受信を開始してリクエスト信号２１或はチャレンジ信号２２を待つ。
【００９１】
Ｔ９は例えば１ｍ秒である。次の３２秒のレスポンス信号１８と確認信号１９についても図７に示す受信タイミングである。
【００９２】
ここで認証モードでのレスポンス信号１８と確認信号１９は４値ＦＳＫで図７に示す電文構成である。一方、図２におけるサーチモードでのレスポンス信号１８と確認信号１９は２値ＦＳＫで図６に示す電文構成である。
【００９３】
図３の認証モードにおける再送信号であるリクエスト信号２３〜チャレンジ信号２６は図６に示す電文構成と受信タイミングであり、２値ＦＳＫ送信である。
【００９４】
またサーチ信号２７は図２のサーチ信号１２と同じであり、図５に示す電文構成である。無線機Ｂは再送信号の有無を確認するため、すでに述べたように必ず受信を行う。
【００９５】
図６で示す受信タイミングを用いることにより、短時間に再送信号の有無を検出でき、再送信号がない場合にはすぐに受信を中断でき電流削減につながる。再送信号が２値ＦＳＫである理由は、再送であるため、通常は送信されない。そのため電文長が長くても消費電流に影響しない。
【００９６】
２値ＦＳＫは４値ＦＳＫに比べ受信感度と干渉妨害特性が約１０ｄＢ改善される。すな
わち２値ＦＳＫにすることにより妨害に強くなりサーチモードへ移行する確率が下がり、結果として消費電流を削減できる。
【００９７】
図８は図３に示す認証モードにおける簡易ＩＤ２０の電文構成と受信タイミングである。
【００９８】
（１）は無線機Ａから送信される簡易ＩＤ２０の電文構成、（２）は無線機Ｂの受信タイミングである。
【００９９】
４値ＦＳＫで送信される。プリアンブルが短いため無線機Ｂでデータ８ビットを受信することはむずかしい。無線機Ｂにおける簡易ＩＤ２０の受信は受信レベルをチェックするだけである。受信レベルチェック期間は簡易ＩＤ２０が送信されている前後を含んで行われる。この理由は無線機Ａと無線機Ｂの時計誤差や送受信タイミングの処理ばらつきから発生する時間誤差があっても簡易ＩＤが送信されている期間を含んで必ず受信レベルチェックを行うためである。
【０１００】
図１における第一の送受信手段３及び第二の送受信手段８は無線送受信を行う。第一の時間制御４及び第二の時間制御手段９は、送信及び受信タイミングを制御する。第一の認証手段５及び第二の認証手段１０は認証通信が成立の判定や機能制限信号を出力するかどうかの判定を行う。
【０１０１】
なお、上記実施の形態で説明した数値は、説明するための一例でありこれに限定するものではない。
【０１０２】
なお、本実施の形態で説明した図１の手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【０１０３】
以上のように本発明にかかる無線装置及びプログラムは、例えばワイヤレスキーの電池寿命と置き忘れ、盗難防止の利便性の両立を図ることができる電子機器を提供できる。また、それ以外にも低消費電力を必要とする無線装置において利用できる。
【図面の簡単な説明】
【０１０４】
【図１】本発明の実施の形態における無線装置のブロック図
【図２】本発明の実施の形態における無線装置のサーチモードでの通信シーケンス図
【図３】本発明の実施の形態における無線装置の認証モードでの通信シーケンス図
【図４】本発明の実施の形態における無線装置のサーチモードにおける無線機Ａと無線機Ｂの送受信タイミング図
【図５】本発明の実施の形態における無線装置のサーチ信号の電文構成と受信タイミング図
【図６】本発明の実施の形態における無線装置のサーチモードの電文構成と受信タイミング図
【図７】本発明の実施の形態における無線装置のサーチモードの電文構成と受信タイミング図
【図８】本発明の実施の形態における無線装置の簡易ＩＤの電文構成と受信タイミング図
【符号の説明】
【０１０５】
１  第一のアンテナ
２  無線機Ａ
３  第一の送受信手段
４  第一の時間制御手段
５  第一の認証手段
６  第二のアンテナ
７  無線機Ｂ
８  第二の送受信手段
９  第二の時間制御手段
１０  第二の認証手段
１１  携帯電話
【図１】
0004645479.tif 000002
【図２】
0004645479.tif 000003
【図３】
0004645479.tif 000004
【図４】
0004645479.tif 000005
【図５】
0004645479.tif 000006
【図６】
0004645479.tif 000007
【図７】
0004645479.tif 000008
【図８】
0004645479.tif 000009